【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
電子装置であって、
第１の取り付け構造を備えた第１の内面及び前記第１の内面を越えて前記第１の取り付け構造と反対方向に延在する第１の外面を有する第１の部分と、
第２の取り付け構造及び円形開口部を備えた第２の内面を有する第２の部分とを備え、
前記第１及び第２の内面は、前記第２の部分の前記円形開口部を通って前記第１の内面を移動させることによって、前記第１及び第２の部分が分離位置から接合位置に移動することを可能にする適合性のある形状を有し、それにより、前記第１の部分及び前記第２の部分が前記接合位置にあるとき、前記第１及び第２の内面は前記第１及び第２の取り付け構造間の相互作用を可能にする入れ子配置を形成しかつ前記第１の部分は前記第２の部分に接し、
前記第１および第２の取り付け構造は、前記第１及び第２の部分が前記接合位置にあるとき、磁気引力を介して互いに確実であるが分離可能な接続を形成するように構成され、
前記第１の部分及び前記第２の部分は、前記分離位置と前記接合位置との間で前記第１及び第２の部分を移動させるように、前記第１の部分及び前記第２の部分の一方または両方を人間が手動操作することによって、確実に接合され分離されるように構成され、
前記第１の部分は１つ以上のスピーカをさらに含み、前記第２の部分は、前記１つ以上のスピーカによって生成された音波が通過して前記電子装置の前記第２の部分の向こう側で聞こえることを可能にするように構成された多孔性の壁を有する、電子装置。
【請求項２】
前記第１及び第２の取り付け構造間の前記確実であるが分離可能な接続は、前記第１及び第２の取り付け構造間の磁気引力によって形成される、請求項１に記載の電子装置。
【請求項３】
前記第１及び第２の取り付け構造が、互いに第１の好ましい向きにあるとき、前記第１及び第２の取り付け構造間の前記磁気引力が最も強く、前記第１の好ましい向きは、前記第１及び第２の取り付け構造が互いに取り得る向きの一部である、請求項２に記載の電子装置。
【請求項４】
前記第１及び第２の部分が互いに第２の好ましい向きにあるとき、前記第１及び第２の取り付け構造は、前記第１の好ましい向きにある、請求項３に記載の電子装置。
【請求項５】
前記第１及び第２の取り付け構造は、前記第１及び第２の取り付け構造が前記第１の好ましい向きにあるときにかみ合うように構成された相補的表面トポロジーを有する、請求項４に記載の電子装置。
【請求項６】
前記相補的表面トポロジーは、前記第１及び第２の取り付け構造を、好ましくない向きから前記第１の好ましい向きへと案内するようにさらに構成され、前記第１の好ましい向きと前記好ましくない向きとの間の違いは、前記第１及び第２の部分を前記接合位置に手動で操作している人間により検出可能である、請求項５に記載の電子装置。
【請求項７】
前記第１及び第２の取り付け構造が前記好ましくない向きにあるとき、前記第１及び第２の部分の外面間に目に見える隙間があり、前記第１及び第２の取り付け構造が前記第１の好ましい向きにあるとき、前記第１及び第２の部分の前記外面は連続面を形成する、請求項６に記載の電子装置。
【請求項８】
前記相補的表面トポロジーは、窪んだ多角形構造を有する前記第１及び第２の取り付け構造のうちの一方と、前記窪んだ多角形構造と形状が相補的な突出する多角形構造を有する前記第１及び第２の取り付け構造のうちの他方とを備え、それにより、前記第１及び第２の部分が前記第２の好ましい向きにあるとき、前記窪んだ構造と前記突出する構造とは互いに嵌合する、請求項５に記載の電子装置。
【請求項９】
前記多角形構造はランプ形状の構造を備える、請求項８に記載の電子装置。
【請求項１０】
前記相補的表面トポロジーは、前記第２の部分に対する前記第１の部分の回転に応答して、前記第１及び第２の取り付け構造を前記第１の好ましい向きに案内するように構成される、請求項５に記載の電子装置。
【請求項１１】
前記第１の部分は、前記第１の内面によって囲まれた１つ以上の電子部品を備え、
前記第１の部分は、第１の外面をさらに備え、
前記第１の部分と前記第２の部分とが接合されたとき、前記１つ以上の電子部品は前記第２の部分内に突出しかつ前記第２の部分内に収容され、
前記第２の部分はカバー部と第２の外面とを備えることにより、前記第１の部分と前記第２の部分とが接合されたときに前記第１の外面と前記第２の外面とが連続面を形成する、請求項１〜１０のいずれか一項に記載の電子装置。
【請求項１２】
前記第１の部分は、前記第２の内面及び前記第２の取り付け構造と同じ構成をそれぞれ有する第３の内面及び第３の取り付け構造を備える任意の数の第３の部分と個々に接合でき、それにより、前記第１の外面と組み合わせた様々なカバー部を前記電子装置が提供することを可能にする、請求項１１に記載の電子装置。
【請求項１３】
前記第１及び第２の部分を前記接合位置から前記分離位置に移動させるための人間の前記操作は、前記第１及び第２の取り付け構造の間の前記確実であるが分離可能な接続を分離するのに十分な、前記第１及び第２の部分の回転動作を備え、前記回転動作の後に前記第１及び第２の部分の分離動作が続く、請求項１〜１２のいずれか一項に記載の電子装置。
【請求項１４】
前記第１及び第２の部分を前記接合位置から前記分離位置に移動させるための人間の前記操作は、前記第１及び第２の取り付け構造の間の前記確実であるが分離可能な接続を分離するのに十分な、前記第１及び第２の部分の分離動作を備える、請求項１〜１３のいずれか一項に記載の電子装置。
【請求項１５】
前記第１及び第２の部分を前記分離位置から前記接合位置に移動させるための人間の前記操作は、前記第１及び第２の取り付け構造が前記確実であるが分離可能な接続を形成する位置になるまで動かす前記第１及び第２の部分の回転動作が後に続く、前記第１及び第２の部分の閉鎖動作を備える、請求項１〜１４のいずれか一項に記載の電子装置。
【請求項１６】
前記第１及び第２の部分を前記分離位置から前記接合位置に移動させるための人間の前記操作は、前記第１及び第２の取り付け構造が前記確実であるが分離可能な接続を形成する位置になるまで動かす、前記第１及び第２の部分の閉鎖動作を備える、請求項１〜１５のいずれか一項に記載の電子装置。
【請求項１７】
前記第１の部分は、前記第２の内面及び前記第２の取り付け構造とそれぞれ適合性のある構成を有する第３の内面及び第３の取り付け構造を備える任意の数の第３の面と個々に接合でき、それにより、前記第１の部分が、確実であるが分離可能な接続で様々な適合性のある表面と嵌合することを可能にする、請求項１〜１６のいずれか一項に記載の電子装置。
【請求項１８】
前記第２の部分の第１の開口部は円形であり、前記第２の部分の前記円形開口部と環を形成し、
前記第２の部分の前記第１の開口部は、前記第２の部分の底部側に位置し、前記第１の部分と前記第２の部分とが前記接合位置にあるときに前記第１の部分の底部側を露出させるように構成される、請求項１〜１７のいずれか一項に記載の電子装置。
【請求項１９】
前記第２の部分は音響透過性の壁を含み、前記第１の部分と前記第２の部分とが前記接合位置にあるとき、前記１つ以上のスピーカは第２の部分内に隠されかつ前記第２の部分の前記音響透過性の壁に向けて前記音波を投射するように構成される、請求項１〜１８のいずれか一項に記載の電子装置。
【請求項２０】
電子装置のためのカバー部であって、
第２の取り付け構造及び円形開口部を有する第２の内面を備えた第２の部分を備え、前記第２の部分は、第１の取り付け構造を有する第１の内面及び前記第１の内面を越えて前記第１の取り付け構造と反対方向に延在する第１の外面を備えた前記電子装置の第１の部分と接合するように構成され、
前記第２の内面は、前記第２の部分の前記円形開口部を通る前記第１の内面の移動を可能にするように構成され、それにより、前記第１の部分と前記第２の部分とが分離位置から接合位置に移動したとき、前記第１及び第２の内面は前記第１及び第２の取り付け構造間の相互作用を可能にする入れ子状の配置を形成し、かつ前記第１の部分は前記第２の部分に接し、
前記第２の取り付け構造は、前記第１及び第２の部分が前記接合位置にあるときに、磁気引力を介して前記第１の取り付け構造への確実であるが分離可能な接続を形成するように構成され、
前記第２の部分は、前記第１及び第２の部分を前記分離位置と前記接合位置との間で移動させるために、前記第１の部分及び前記第２の部分の一方または両方の人間による手動操作によって、前記第１の部分に確実に接合されかつ前記第１の部分から分離されるように構成され、
前記第２の部分は、前記第１の部分の１つ以上のスピーカによって生成された音波が通過して前記電子装置の前記第２の部分の向こう側で聞こえることを可能にするように構成された多孔性の壁を有する、電子装置のためのカバー部。